(57)【要約】【課題】コストアップすることなく、電子機器の組立性を向上させること。【解決手段】第１の状態と第２の状態との間を移動し、第１の係合部を備えたレバー部材と、筐体の側面を構成し、第２の係合部を備えたカバー部材と、を有し、前記レバー部材が前記第１の状態のとき、前記第１の係合部と前記第２の係合部とが係合し、前記レバー部材が前記第２の状態のとき、前記第１の係合部と前記第２の係合部との係合が解除される。【選択図】図５
2015018171.tif 000002
【特許請求の範囲】
【請求項１】
第１の状態と第２の状態との間を移動し、第１の係合部を備えたレバー部材と、
筐体の側面を構成し、第２の係合部を備えたカバー部材と、を有し、
前記レバー部材が前記第１の状態のとき、前記第１の係合部と前記第２の係合部とが係合し、
前記レバー部材が前記第２の状態のとき、前記第１の係合部と前記第２の係合部との係合が解除されることを特徴とする電子機器。
【請求項２】
前記レバー部材を前記第１の係合部と前記第２の係合部とが係合する方向に付勢する付勢部材を更に有することを特徴とする請求項１に記載の電子機器。
【請求項３】
前記レバー部材は、前記第１の状態のとき、前記筐体に取り付けられるバッテリーを保持し、前記レバー部材が前記第２の状態のとき、前記バッテリーを取り出し可能とすることを特徴とする請求項１または２に記載の電子機器。
【請求項４】
前記第２の係合部は、爪形状に形成され、
前記第１の状態のとき、前記第１の係合部は、前記第２の係合部の爪部と当接することを特徴とする請求項１から３のいずれか１項に記載の電子機器。
【請求項５】
前記第１および第２の係合部が係合した状態で、前記カバー部材を前記筐体に固定するための固定部材を更に有することを特徴とする請求項１から４のいずれか１項に記載の電子機器。
【請求項６】
前記固定部材は、ビスであり、
前記カバー部材には、ビス締結用穴が形成されていることを特徴とする請求項５に記載の電子機器。
【請求項７】
第１の状態と第２の状態との間を移動し、第１の係合部を備えたレバー部材と、筐体の第１の面を構成し、第２の係合部を備えた第１のカバー部材と、前記第１の面と反対側の第２の面を構成する第２のカバー部材と、を有する電子機器の組立方法であって、
前記レバー部材を前記第２の状態にして前記第１の係合部と前記第２の係合部とを係合するステップと、
前記レバー部材を前記第１の状態にして、前記第１のカバー部材を仮止めするステップと、
前記第２のカバー部材を固定するステップと、
前記第１のカバー部材を固定するステップを、を有することを特徴とする電子機器の組立方法。
【請求項８】
前記第１のカバー部材を仮止めした後、前記電子機器の向きを変更するステップを更に有することを特徴とする請求項７に記載の電子機器の組立方法。
【発明の詳細な説明】
【技術分野】
【０００１】
本発明は、電子機器および電子機器の組立方法に関する。
【背景技術】
【０００２】
従来、デジタルカメラ等の電子機器において、筐体が前面カバー、背面カバーおよびサイドカバーで構成されているものがある。このような構成のデジタルカメラは組み立てる際に前面カバー、背面カバーを一体化した後、サイドカバーを取り付けることが一般的である(特許文献１参照)。
【先行技術文献】
【特許文献】
【０００３】
【特許文献１】特許第４５９１７７９号
【発明の概要】
【発明が解決しようとする課題】
【０００４】
特許文献１では、サイドカバーをビスで固定する前に、位置決め用の凸部を前面カバー、背面カバーの位置決め穴に挿入し、サイドカバーの仮保持をしている。しかしながら、本体の向きを変えるとサイドカバーが脱落してしまうため、組立性が悪い。
【０００５】
このような課題を鑑みて、本発明は、コストアップすることなく、電子機器の組立性を向上させることを目的とする。
【課題を解決するための手段】
【０００６】
本発明の一側面としての電子機器は、第１の状態と第２の状態との間を移動し、第１の係合部を備えたレバー部材と、筐体の側面を構成し、第２の係合部を備えたカバー部材と、を有し、前記レバー部材が前記第１の状態のとき、前記第１の係合部と前記第２の係合部とが係合し、前記レバー部材が前記第２の状態のとき、前記第１の係合部と前記第２の係合部との係合が解除されることを特徴とする。
【０００７】
また、本発明の他の側面としての電子機器の組立方法は、第１の状態と第２の状態との間を移動し、第１の係合部を備えたレバー部材と、筐体の第１の面を構成し、第２の係合部を備えた第１のカバー部材と、前記第１の面と反対側の第２の面を構成する第２のカバー部材と、を有する電子機器の組立方法であって、前記レバー部材を前記第２の状態にして前記第１の係合部と前記第２の係合部とを係合するステップと、前記レバー部材を前記第１の状態にして、前記第１のカバー部材を仮止めするステップと、前記第２のカバー部材を固定するステップと、前記第１のカバー部材を固定するステップを、を有することを特徴とする。
【発明の効果】
【０００８】
本発明によれば、コストアップすることなく、電子機器の組立性を向上させることができる。
【図面の簡単な説明】
【０００９】
【図１】本発明の実施形態に係る電子機器の斜視図である。
【図２】電子機器の分解斜視図である。
【図３】電池ボックスユニットの斜視図である。
【図４】電池ボックスユニットの拡大図である。
【図５】カバー部材と電池ロックレバーのみを示した斜視図である。
【図６】電子機器の組立方法についてのフローチャートである。
【図７】カバー部材を電子機器に取り付ける様子を示した図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１は、本発明の実施形態に係る電子機器としての撮像装置の斜視図である。図１（ａ）は前面側、図１（ｂ）は背面側から見た図である。
【００１２】
カメラ本体１０１の前面には、カメラ本体１０１に対して着脱可能なレンズ１０２が取り付けられ、レンズ１０２をカメラ本体１０１から着脱するアンロックボタン１０３が設けられている。上面には、静止画撮影の開始を指示するためのレリーズボタン１０４とカメラ本体１０１を起動する電源スイッチ１０５が設けられている。背面には、撮像画像を表示するパネルユニット１０６、パネルユニット１０６に表示された内容を操作するためのボタン群１０７が設けられている。側面には、ストラップを固定するためのストラップピン１０８が設けられている。
【００１３】
図２は、筐体である外装カバーを外した状態のカメラ本体１０１の分解斜視図である。
【００１４】
カメラ機能体１０９は、撮影機能および撮影された映像を表示する表示機能を備えており、電池ボックスユニットが取り付けられている。外装カバーは、レンズ１０２側を覆う前面カバー１１０、パネルユニット１０６側を覆う背面カバー１１１、前面カバー１１０および背面カバー１１１に取り付けられる左側面カバー１１２および右側面カバー１１３によって構成される。
【００１５】
次に、図３を用いて電池ボックスユニットの構成とその動作について説明する。図３は、電池ボックスユニットの斜視図である。
【００１６】
電池（バッテリー）１１４は、使用時に電池ボックス１１５に挿入され、排出バネ（不図示）によって取り出される。板金１１６は、電池ボックスユニットの１つの面を構成している。電池蓋１１７は、電池１１４を取り出す際に開閉する。電池ロックレバー（レバー部材）１１８は電池１１４を保持し、開閉バネ（付勢部材）１１９は電池ロックレバー１１８を付勢する。シャフト１２０は、電池ロックレバー１１８および開閉バネ１１９と嵌合する。
【００１７】
図４は、図３の領域Ａに示す電池ロックレバー１１８周辺を拡大した図である。なお、図４では、電池蓋１１７は開いている状態となっている。
【００１８】
図４（ａ）は、電池ロック状態を示している。開閉バネ１１９の一端１１９ａは電池ボックス１１５に当接しており、他端１１９ｂは電池ロックレバー１１８に形成された孔内に挿入されている。電池ロックレバー１１８は、開閉バネ１１９によって、電池ボックス１１５に当接している一端１１９ａを基準に矢印１２１方向に付勢されている。このとき、電池ロックレバー１１８が電池１１４の下面を保持することで電池１１４が抜け出ないようになっている。この状態のことを電池ロック状態という。また、電池ロックレバー１１８に設けられた閉じ当て面１１８ａは、電池ボックス１１５に当接することで電池ロックレバー１１８の回転を規制している。
【００１９】
図４(ｂ)は、電池解除状態を示している。図４(ａ)の状態から電池ロックレバー１１８に矢印１２２方向への力を加えることでシャフト１２０と嵌合する穴中心を支点に電池ロックレバー１１８を回転させる。このとき、電池１１４が取り出し可能な状態となっており、この状態のことを電池解除状態という。また、電池ロックレバー１１８に設けられた開き当て面１１８ｂは、電池ボックス１１５に当接することで電池ロックレバー１１８の回転を規制している。
【００２０】
次に、左側面カバー１１２をカメラ本体１０１に取り付ける方法について説明する。図５は、左側面カバー（カバー部材）１１２が既にカメラ本体１０１に組み込まれた状態から左側面カバー１１２と電池ロックレバー１１８のみを示した斜視図である。図５（ｂ）と図５（ｃ）は、図５（ａ）の領域Ｂの拡大図である。図５(ｂ)は電池ロック状態、図５(ｃ)は電池解除状態を示している。
【００２１】
左側面カバー１１２には、カメラ機能体１０９の方向に向けて伸び、先端が爪形状になっている爪部（第２の係合部）１１２ａが設けられている。電池ロックレバー１１８には、周辺より凹んでおり、爪部１１２ａと係合する爪引っかけ部（第１の係合部）１１８ｃが設けられている。
【００２２】
まず、図５(ｃ)で示すように、電池ロックレバー１１８に対して矢印１２２方向に力を加え、電池ロックレバー１１８を電池解除位置にする。次に、左側面カバー１１２を矢印１２３方向に移動させ、図５(ｂ)で示すように左側面カバー１１２の爪部１１２ａを電池ロックレバー１１８の爪引っかけ部１１８ｃに係合させる。電池ロックレバー１１８を電池解除位置にするために加えていた力を解除すると、電池ロックレバー１１８は、開閉バネ１１９によって付勢され、電池ロック位置に移動する。電池ロックレバー１１８を電池ロック位置にすることで、左側面カバー１１２は電池ロックレバー１１８に引き込まれる。このとき、左側面カバー１１２は爪部１１２ａと爪引っかけ部１１８ｃが係合した状態で付勢されているため、カメラ本体１０１の向きを変えたとしても左側面カバー１１２が抜け落ちることはない。以上により、左側面カバー１１２をカメラ本体１０１に対して保持することができる。
【００２３】
次に、本発明の筐体保持構造を適用したカメラ本体１０１の組立方法について説明する。図６は、カメラ本体１０１の組立方法についてのフローチャートであり、「Ｓ」はステップの略である。なお、ここでいう組立とは、図２に示すカメラ機能体１０９に外装カバーを取り付けることをいう。
【００２４】
組立開始時（Ｓ６００）において、カメラ機能体１０９に前面カバー１１０と背面カバー１１１を取り付ける（Ｓ６０１）。このとき、前面側および背面側より機械によって力を加え、その姿勢を保持する。
【００２５】
次に、左側面カバー１１２を前述したように電池ロックレバー１１８を用いて左側面カバー１１２をカメラ本体１０１に仮止めする（Ｓ６０２）。仮止めする際、位置決め穴１１２ｂとストラップピン１０８を嵌合させることで、左側面カバー１１２の正確な位置を決めている。
【００２６】
次に、図７（ａ）に示すように、カメラ本体１０１の右側面が上面を向くようにカメラ本体１０１の向きを変え、右側面カバー１１３を上面より本体に対して取り付ける。右側面カバー１１３には、仮止めする手段がないため、カメラ本体１０１の方向は変えず、右側面カバー１１３のビス締結用穴１２４、１２５の２点を自動ビス締め機によりビスで締結する（Ｓ６０３）。このとき、左側面カバー１１２は、電池ロックレバー１１８に対して保持されているため、カメラ本体１０１の向きを変えても左側面カバー１１２がカメラ本体１０１から脱落することはない。
【００２７】
次に、図７（ｂ）に示すように、左側面カバー１１２が上面を向くようにカメラ本体１０１の向きを変え、ビス締結用穴１２６、１２７の２点を自動ビス締め機によりビス（固定部材）で締結する（Ｓ６０４）。
【００２８】
その後、図示しない前面カバー１１０、背面カバー１１１のビスを数か所止めていく。以上により、カメラ機能体１０９に外装カバーを取り付けることができる（Ｓ６０５）。
【００２９】
以上より、本発明の筐体保持構造により、コストアップすることなく、外装カバーの仮保持が可能となる。また、分解する際にもカバーを変形させることなく容易に仮保持の解除が可能となるため、組み立て性の向上に繋がる。
【００３０】
また、特に自動ビス締めの生産ラインにおいて、本体の向きを変えてもサイドカバーが脱落しないため、反対側のサイドカバーまで手で組んだ後、両側面を一度に自動ビス締めを行うことが可能となり生産時間を短縮できる。
【００３１】
以上、本発明の好ましい実施形態について説明したが、本発明はこれらの実施形態に限定されず、その要旨の範囲内で種々の変形及び変更が可能である。
【符号の説明】
【００３２】
１１２    左側面カバー（カバー部材）
１１２ａ  爪部（第２の係合部）
１１８    電池ロックレバー（レバー部材）
１１８ｃ  爪引っかけ部（第１の係合部）
【図１】
2015018171.tif 000003
【図２】
2015018171.tif 000004
【図３】
2015018171.tif 000005
【図４】
2015018171.tif 000006
【図５】
2015018171.tif 000007
【図６】
2015018171.tif 000008
【図７】
2015018171.tif 000009